【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
判定条件の成立に起因して遊技の当否を判定する当否判定手段と、
前記当否判定手段による当否判定結果に基づいて演出を表示すると共に前記当否判定結果を図柄で表示するための表示手段と、
前記表示手段に表示する前記演出の演出パターンを、複数の演出パターンの中から選択する演出パターン選択手段と、
遊技者が任意に操作可能な操作部と、
を備えた遊技機において、
複数の前記演出パターンの少なくとも１つは、前記操作部による操作を伴う操作演出パターンと前記操作部の操作を伴わない演出パターンとを有し、
前記操作演出パターンは前記操作部の操作が有効とされる操作有効期間が設けられ、
前記演出パターン選択手段によって前記操作演出パターンが選択されたことに起因して前記操作有効期間内での前記操作部の操作を検出する操作検出手段を備え、
前記表示手段で前記当否判定手段による当否判定結果を図柄で表示する前に前記表示手段で表示中の前記操作演出パターンの演出を、前記操作有効期間の前記操作部の操作と連動させて前記当否判定手段による当否の信頼度を段階的に報知する段階的報知手段を備え、
前記演出パターン選択手段によって前記操作演出パターンが選択されたことに起因して、前記操作部の操作に基づいた前記段階的報知手段による段階的表示態様と、最終的に報知する最終表示態様と、を設定する表示方法設定手段を備え、
前記操作演出パターンには前記段階的報知手段を実行して前記操作部の操作と連動して信頼度を段階的に表示する演出パターンと、前記段階的報知手段を実行せずに信頼度を段階的に表示しない演出パターンを有し、
前記表示方法設定手段は、前記段階的報知手段を実行する場合に前記段階的表示態様と前記最終表示態様を設定することを特徴とする遊技機。
【請求項２】
判定条件の成立に起因して遊技の当否を判定する当否判定手段と、
前記当否判定手段による当否判定結果に基づいて演出を表示すると共に前記当否判定結果を図柄で表示するための表示手段と、
前記表示手段に表示する前記演出の演出パターンを、複数の演出パターンの中から選択する演出パターン選択手段と、
遊技者が任意に操作可能な操作部と、
を備えた遊技機において、
複数の前記演出パターンの少なくとも１つは、前記操作部による操作を伴う操作演出パターンと前記操作部の操作を伴わない演出パターンとを有し、
前記操作演出パターンは前記操作部の操作が有効とされる操作有効期間が設けられ、
前記演出パターン選択手段によって前記操作演出パターンが選択されたことに起因して前記操作有効期間内での前記操作部の操作を検出する操作検出手段を備え、
前記表示手段で前記当否判定手段による当否判定結果を図柄で表示する前に前記表示手段で表示中の前記操作演出パターンの演出を、前記操作有効期間内に前記操作部を操作した回数に基づき変化させて前記当否判定手段による当否の信頼度を段階的に報知する段階的報知手段を備え、
前記演出パターン選択手段によって前記操作演出パターンが選択されたことに起因して、前記操作部の操作に基づいた前記段階的報知手段による段階的表示態様と、最終的に報知する最終表示態様と、を設定する表示方法設定手段を備え、
前記操作演出パターンには前記段階的報知手段を実行して前記操作部の操作と連動して信頼度を段階的に表示する演出パターンと、前記段階的報知手段を実行せずに信頼度を段階的に表示しない演出パターンを有し、
前記表示方法設定手段は、前記段階的報知手段を実行する場合に前記段階的表示態様と前記最終表示態様を設定することを特徴とする遊技機。
【手続補正２】
【補正対象書類名】明細書
【補正対象項目名】０００６
【補正方法】変更
【補正の内容】
【０００６】
請求項１の発明は、判定条件の成立に起因して遊技の当否を判定する当否判定手段と、前記当否判定手段による当否判定結果に基づいて演出を表示すると共に前記当否判定結果を図柄で表示するための表示手段と、前記表示手段に表示する前記演出の演出パターンを、複数の演出パターンの中から選択する演出パターン選択手段と、遊技者が任意に操作可能な操作部と、を備えた遊技機において、複数の前記演出パターンの少なくとも１つは、前記操作部による操作を伴う操作演出パターンと前記操作部の操作を伴わない演出パターンとを有し、前記操作演出パターンは前記操作部の操作が有効とされる操作有効期間が設けられ、前記演出パターン選択手段によって前記操作演出パターンが選択されたことに起因して前記操作有効期間内での前記操作部の操作を検出する操作検出手段を備え、前記表示手段で前記当否判定手段による当否判定結果を図柄で表示する前に前記表示手段で表示中の前記操作演出パターンの演出を、前記操作有効期間の前記操作部の操作と連動させて前記当否判定手段による当否の信頼度を段階的に報知する段階的報知手段を備え、前記演出パターン選択手段によって前記操作演出パターンが選択されたことに起因して、前記操作部の操作に基づいた前記段階的報知手段による段階的表示態様と、最終的に報知する最終表示態様と、を設定する表示方法設定手段を備え、前記操作演出パターンには前記段階的報知手段を実行して前記操作部の操作と連動して信頼度を段階的に表示する演出パターンと、前記段階的報知手段を実行せずに信頼度を段階的に表示しない演出パターンを有し、前記表示方法設定手段は、前記段階的報知手段を実行する場合に前記段階的表示態様と前記最終表示態様を設定することを特徴とする。
【手続補正３】
【補正対象書類名】明細書
【補正対象項目名】０００７
【補正方法】変更
【補正の内容】
【０００７】
請求項２の発明は、判定条件の成立に起因して遊技の当否を判定する当否判定手段と、前記当否判定手段による当否判定結果に基づいて演出を表示すると共に前記当否判定結果を図柄で表示するための表示手段と、前記表示手段に表示する前記演出の演出パターンを、複数の演出パターンの中から選択する演出パターン選択手段と、遊技者が任意に操作可能な操作部と、を備えた遊技機において、複数の前記演出パターンの少なくとも１つは、前記操作部による操作を伴う操作演出パターンと前記操作部の操作を伴わない演出パターンとを有し、前記操作演出パターンは前記操作部の操作が有効とされる操作有効期間が設けられ、前記演出パターン選択手段によって前記操作演出パターンが選択されたことに起因して前記操作有効期間内での前記操作部の操作を検出する操作検出手段を備え、前記表示手段で前記当否判定手段による当否判定結果を図柄で表示する前に前記表示手段で表示中の前記操作演出パターンの演出を、前記操作有効期間内に前記操作部を操作した回数に基づき変化させて前記当否判定手段による当否の信頼度を段階的に報知する段階的報知手段を備え、前記演出パターン選択手段によって前記操作演出パターンが選択されたことに起因して、前記操作部の操作に基づいた前記段階的報知手段による段階的表示態様と、最終的に報知する最終表示態様と、を設定する表示方法設定手段を備え、前記操作演出パターンには前記段階的報知手段を実行して前記操作部の操作と連動して信頼度を段階的に表示する演出パターンと、前記段階的報知手段を実行せずに信頼度を段階的に表示しない演出パターンを有し、前記表示方法設定手段は、前記段階的報知手段を実行する場合に前記段階的表示態様と前記最終表示態様を設定することを特徴とする。
【手続補正４】
【補正対象書類名】明細書
【補正対象項目名】０００８
【補正方法】変更
【補正の内容】
【０００８】
請求項１の発明によれば、前記表示手段で前記当否判定手段による当否判定結果を図柄で表示する前に前記表示手段で表示中の前記操作演出パターンの演出を、前記操作有効期間に前記操作部を操作することで変化させて前記当否判定手段による当否の信頼度を段階的に報知する段階的報知手段を備えたことにより、演出に対する期待感を高めることが可能となる。